(57)【特許請求の範囲】
【請求項１】
ラベルプリンターにより所定の情報を印字され、所定の長さに切断されてこのラベルプリンター外に発行されるラベル用紙を、スタッカー本体の上方開口部からそのスタッカー空間内に落下させて順次積み重ねるラベル用紙のスタッカー装置であって、
前記スタッカー本体を、前記ラベルプリンターに対して回旋軸のまわりに所定の回旋姿勢にセット可能な回旋角度調節機構を設け、
前記ラベル用紙を前記上方開口部の斜め上方向から前記スタッカー空間内に落下可能としたことを特徴とするラベル用紙のスタッカー装置。
【請求項２】
前記回旋角度調節機構は、
前記ラベルプリンターのプリンター本体に回旋軸を介して、前記スタッカー本体を水平面内で回旋可能としたスタッカー回旋板を有することを特徴とする請求項１記載のラベル用紙のスタッカー装置。
【請求項３】
前記スタッカー回旋板を前記プリンター本体に対する相対的回旋位置に設定可能とする角度設定板を有することを特徴とする請求項３記載のラベル用紙のスタッカー装置。
【請求項４】
ラベルプリンターにより所定の情報を印字され、所定の長さに切断されてこのラベルプリンター外に発行されるラベル用紙を、スタッカー本体の上方開口部からそのスタッカー空間内に落下させて順次積み重ねるラベル用紙のスタッカー装置であって、
前記スタッカー本体は、前記ラベルプリンターに対して回旋軸のまわりに回旋して所定の回旋姿勢にセット可能とし、
前記ラベル用紙を前記上方開口部の斜め上方向から前記スタッカー空間内に落下可能としたことを特徴とするラベル用紙のスタッカー装置。
【請求項５】
ラベルプリンターにより所定の情報を印字され、所定の長さに切断されてこのラベルプリンター外に発行されるラベル用紙を、スタッカー本体の上方開口部からそのスタッカー空間内に落下させて順次積み重ねるラベル用紙のスタッカー装置であって、
前記スタッカー本体を、前記ラベルプリンターからの前記ラベル用紙の発行方向に対して水平面内で所定の回旋姿勢にセット可能な回旋角度調節機構を設け、
前記ラベルプリンターから発行されてくる前記ラベル用紙の先端部が当接し、前記ラベル用紙を前記上方開口部の斜め上方向から前記スタッカー空間内に落下可能とする当接壁部を有することを特徴とするラベル用紙のスタッカー装置。
【請求項６】
前記当接壁部は、前記スタッカー本体に対して傾斜してこれを前記スタッカー本体に取り付けてあることを特徴とする請求項５記載のラベル用紙のスタッカー装置。
【発明の詳細な説明】
【技術分野】
【０００１】
本発明はラベル用紙の積重ね方法およびスタッカー装置にかかるもので、とくにラベルプリンターにより印字されるとともに切断されたラベル用紙の積重ね方法およびスタッカー装置に関するものである。
【背景技術】
【０００２】
従来のラベル用紙の積重ね方法およびスタッカー装置について、図７および図８にもとづき概説する。
図７は、ラベルプリンター１およびスタッカー装置２の要部平面図、図８は、同、要部側面図であって、ラベルプリンター１は、プリンター本体３と、印字部４と、切断部５と、を有する。
印字部４においてラベル用紙６に所定の情報を印字し、切断部５において所定の長さにラベル用紙６を切断して、その発行口７から、切断されたラベル用紙６をプリンター本体３外に発行可能としている。
【０００３】
ラベル用紙６は、帯状の台紙８に複数枚のラベル片９を仮着してあるもので、必要に応じて所定の枚数（複数枚あるいは単数枚）ごとに切断部５により切断してスタッカー装置２に落下させて、上方から段積み状態に順次積み重ねる。
【０００４】
すなわちスタッカー装置２は、上方が開口した箱体状の、一般的には直方体状のスタッカー本体１０を有し、切断されたラベル用紙６をスタッカー本体１０の上方開口部１１からそのスタッカー空間１２内に落下させて順次積み重ねる。
【０００５】
こうした構成のラベルプリンター１およびスタッカー装置２において、スタッカー装置２のスタッカー空間１２にすでに積み重ねられているラベル用紙６の上方から、つぎのラベル用紙６が落下してくる際に、互いの方向が揃っているので、すなわち、ラベル用紙６の発行方向と進入積重ね方向とが一致しているので、とくに図２に示すように、水平に位置しているスタッカー空間１２内のラベル用紙６における互いに隣り合うラベル片９の間のギャップ１３に、後続の垂れ下がってくるラベル用紙６の先端部６Ａが引っ掛かってしまうという問題がある。
したがって、ラベル用紙６が発行口７との間に傾斜した姿勢でスタッカー空間１２内に止まり、正規の姿勢で積み重ならず、整列された適正な積重ね状態を実現することが困難であるという問題がある。
【０００６】
さらに、上記先端部６Ａがギャップ１３に突き当たることにより、とくに台紙８およびラベル片９が薄い材料の場合には、先のラベル用紙６のラベル片９を台紙８から剥離してしまうという問題もある。
【０００７】
このような問題は、台紙８上に単一枚数のラベル片９を仮着した状態で切断された場合にも同様に発生する可能性がある。
【０００８】
【特許文献１】特開平７−１０９０４９号公報
【発明の開示】
【発明が解決しようとする課題】
【０００９】
本発明は以上のような諸問題にかんがみなされたもので、ラベルプリンターから発行される所定の長さのラベル用紙を適正な積層状態にスタッカー装置内に落下収容することができるようにしたラベル用紙の積重ね方法およびスタッカー装置を提供することを課題とする。
【００１０】
また本発明は、簡単な構成で、ラベル用紙のスタッカー本体上方部での詰まりを解消可能なラベル用紙の積重ね方法およびスタッカー装置を提供することを課題とする。
【００１１】
また本発明は、あとから進入してくるラベル用紙の先端部が、すでに整列しているラベル用紙のラベル片を剥離しないようにしたラベル用紙の積重ね方法およびスタッカー装置を提供することを課題とする。
【課題を解決するための手段】
【００１２】
すなわち本発明は、ラベルプリンターにより所定の情報を印字され、所定の長さに切断されてこのラベルプリンター外に発行されるラベル用紙を、スタッカー本体の上方開口部からそのスタッカー空間内に落下させて順次積み重ねるラベル用紙のスタッカー装置であって、
上記スタッカー本体を、上記ラベルプリンターに対して回旋軸のまわりに所定の回旋姿勢にセット可能な回旋角度調節機構を設け、上記ラベル用紙を前記上方開口部の斜め上方向から上記スタッカー空間内に落下可能としたことを特徴とするラベル用紙のスタッカー装置である。
【００１３】
上記回旋角度調節機構は、上記ラベルプリンターのプリンター本体に回旋軸を介して、上記スタッカー本体を水平面内で回旋可能としたスタッカー回旋板を有することができる。
【００１４】
上記スタッカー回旋板を上記プリンター本体に対する相対的回旋位置に設定可能とする角度設定板を有することができる。
【００１５】
第二の発明は、ラベルプリンターにより所定の情報を印字され、所定の長さに切断されてこのラベルプリンター外に発行されるラベル用紙を、スタッカー本体の上方開口部からそのスタッカー空間内に落下させて順次積み重ねるラベル用紙のスタッカー装置であって、上記スタッカー本体は、上記ラベルプリンターに対して回旋軸のまわりに回旋して所定の回旋姿勢にセット可能とし、上記ラベル用紙を上記上方開口部の斜め上方向から上記スタッカー空間内に落下可能としたことを特徴とするラベル用紙のスタッカー装置である。
【００１６】
第三の発明は、ラベルプリンターにより所定の情報を印字され、所定の長さに切断されてこのラベルプリンター外に発行されるラベル用紙を、スタッカー本体の上方開口部からそのスタッカー空間内に落下させて順次積み重ねるラベル用紙のスタッカー装置であって、上記スタッカー本体を、上記ラベルプリンターからの上記ラベル用紙の発行方向に対して水平面内で所定の回旋姿勢にセット可能な回旋角度調節機構を設け、上記ラベルプリンターから発行されてくる上記ラベル用紙の先端部が当接し、上記ラベル用紙を上記上方開口部の斜め上方向から上記スタッカー空間内に落下可能とする当接壁部を有することを特徴とするラベル用紙のスタッカー装置である。
【００１７】
上記当接壁部は、上記スタッカー本体に対して傾斜してこれを上記スタッカー本体に取り付けてあることができる。
【発明の効果】
【００２２】
本発明によるラベル用紙の積重ね方法およびスタッカー装置においては、ラベル用紙の発行方向に対してスタッカー装置を水平面内で所定の回旋角度だけ回旋した位置に配置するようにしたので、ラベルプリンターから発行されてくるラベル用紙は、スタッカー空間内に積み重ね済みのラベル用紙に、つぎの発行ラベル用紙が直ちに重なるように進行することがない。
すなわち、つぎの発行ラベル用紙がスタッカー本体の壁部の上縁をガイドとして進行し、斜め上方からスタッカー本体のスタッカー空間に落下することになり、その先端部がラベル用紙におけるラベル片間のギャップに引っ掛かる、あるいは突き当たる可能性をきわめて少なくすることができ、適正な姿勢ないし整列状態でスタッカー本体内にラベル用紙を積み重ねることができる。
【００２３】
とくに第一の発明によれば、ラベルプリンターからのラベル用紙の発行方向に対してスタッカー装置を水平面内で斜めの位置に配置することにより、ラベル用紙を上方開口部の斜め上方向からスタッカー装置のスタッカー空間内に落下させるようにしたので、円滑な積重ね動作を実現可能である。
【００２４】
とくに第二の発明によれば、ラベルプリンターからのラベル用紙の発行方向に対して水平面内で所定の回旋角度だけ回旋した位置にスタッカー本体を配置したので、ラベル用紙を上方開口部の斜め上方向からスタッカー空間内に落下可能とし、安定した整列姿勢での積重ね状態を実現可能である。
【発明を実施するための最良の形態】
【００２５】
本発明は、ラベルプリンターの発行口から発行されるラベル用紙の発行方向と、スタッカー装置における進入積重ね方向と、を異ならせたので、すなわち、スタッカー装置をラベルプリンターの発行口に斜めに設置するようにしたので、ラベルプリンターとスタッカー装置との間でラベル用紙が引っ掛かってしまうような状況を防止し、適正な整列状態の段積みを可能としたラベル用紙の積重ね方法およびスタッカー装置を実現した。
【実施例】
【００２６】
つぎに本発明によるラベル用紙の積重ね方法を図１および図２にもとづき説明する。ただし、図７および図８と同様の部分には同一符号を付し、その詳述はこれを省略する。
図１は、上記積重ね方法を実施するための構成を示す要部平面図、図２は、同、要部斜視図であって、ラベルプリンター１からのラベル用紙６の発行方向Ｈに対して、スタッカー装置２の配置方向ないし積み重ねられるラベル用紙６の進入積重ね方向Ｓを所定の角度（回旋角度θ）だけ異ならせている。
【００２７】
ラベル用紙６の発行方向Ｈと、ラベル用紙６の進入積重ね方向Ｓとがなす角度θについては、任意の範囲での選択が可能であり、ラベル用紙６の大きさすなわち、幅および長さ、さらにスタッカー装置２のスタッカー本体１０の大きさなどに応じて設計が可能であるが、具体的には、０度＜θ＜９０度、の範囲で、たとえば、３０〜４５度前後とする。
【００２８】
こうしたラベル用紙の積重ね方法によれば、ラベルプリンター１から発行されたラベル用紙６は、スタッカー本体１０の上方開口部１１からスタッカー空間１２方向に直接落下するのではなく、スタッカー本体１０の左右斜め方向（図１、図２に示した例では、右斜め方向）の上方からスタッカー空間１２内に落下してゆくので、ラベル用紙６の先端部６Ａが、すでに積み重ねられた状態のラベル用紙６のギャップ１３に引っ掛かる可能性はきわめて小さく、適正な積重ね状態ないし整列状態を実現可能である。
【００２９】
なお、切断され発行されてくるラベル用紙６の形状ないし大きさによっては、ラベル用紙６が一度スタッカー本体１０の垂直壁部１０Ａの上縁部に接触して上方開口部１１からスタッカー空間１２内に落下するように構成する場合があり、必要であれば、垂直壁部１０Ａにガイド壁部１０Ｂ（図中、仮想線を参照）を設けることもできる。
【００３０】
また、対向する他の垂直壁部１０Ｃにラベル用紙６が当接することもあり得るので、この垂直壁部１０Ｃに当接壁部１０Ｄ（図中、仮想線を参照）を設けることにより、ラベル用紙６がスタッカー本体１０から外方に飛び出すことを防止可能とすることもできる。
【００３１】
つぎに本発明の第１の実施例によるスタッカー装置２０を図３および図４にもとづき説明する。
図３は、スタッカー装置２０における回旋角度調節機構２１の平面図、図４は、同、回旋角度調節機構２１の側面図であって、スタッカー装置２０は、回旋角度調節機構２１を有して、上記スタッカー本体１０のラベルプリンター１に対するラベル用紙６の進入積重ね方向Ｓ（あるいはスタッカー本体１０に対するラベル用紙６の発行方向Ｈ）を調節可能である。
【００３２】
回旋角度調節機構２１は、プリンター配置板２２と、スタッカー回旋板２３と、角度設定板２４と、回旋軸２５と、を有する。
【００３３】
プリンター配置板２２は、ラベルプリンター１のプリンター本体３を載置可能な大きさおよび剛性を有するものであって、任意の場所にラベルプリンター１およびスタッカー装置２０を設置可能としている。
【００３４】
スタッカー回旋板２３は、回旋軸２５においてプリンター配置板２２に水平面内で回旋可能にこれを取り付けてあり、その底部に角度設定片２６を突出形成している。
【００３５】
角度設定板２４には、複数個の角度設定凹部２７を回旋軸２５を中心とした円周上に形成してあり、上記角度設定片２６といずれかの角度設定凹部２７との係合によって、プリンター配置板２２に対するスタッカー回旋板２３の相対的回旋位置を設定可能としている。
【００３６】
こうした構成のスタッカー装置２０および回旋角度調節機構２１において、スタッカー回旋板２３を回旋軸２５のまわりに回旋して、角度設定片２６をいずれかの角度設定凹部２７に係合させることにより、プリンター配置板２２（角度設定板２４）に対するスタッカー回旋板２３の相対回旋位置を設定することができる。
この設定状態で、プリンター配置板２２にラベルプリンター１を載置するとともに、スタッカー回旋板２３にスタッカー本体１０を載置すれば、スタッカー回旋板２３を介してスタッカー本体１０をプリンター配置板２２上のラベルプリンター１に対して当該相対回旋位置に配置することができる。
【００３７】
したがって、スタッカー装置２０のスタッカー本体１０を、ラベルプリンター１からのラベル用紙６の発行方向Ｈに対して水平面内で所定の回旋角度θ（図１）だけ回旋した位置に配置することができ、図１および図２にもとづいて既述したように、ラベル用紙６を上方開口部１１の斜め上方向からスタッカー空間１２内に落下させることができ、回旋角度θを任意に選択することにより、ラベル用紙６の形状や大きななどに応じてその安定した整列動作を実現可能としている。
【００３８】
なお、本発明においては、プリンター本体３とは別にプリンター配置板２２を設ける代わりに、およびスタッカー本体１０とは別にスタッカー回旋板２３を設ける代わりに、ラベルプリンター１におけるプリンター本体３の底板３Ａと、スタッカー本体１０の底板１０Ｅと、を回旋軸２５のまわりに互いに回旋可能に構成することができる（図３中、仮想線を参照）。
【００３９】
かくしてスタッカー本体１を、プリンター本体３の回旋軸２５に対してこれを回旋可能とするとともに、所定の回旋角度θの位置に固定可能とすることができ、上述した回旋角度調節機構２１を有する構成と同様に、ラベル用紙６をスタッカー本体１０に対して斜め上方からそのスタッカー空間１２内に落下させることができる。
【００４０】
図５は、本発明の第２の実施例によるスタッカー装置３０の平面図、図６は、同、スタッカー本体１０部分の斜視図であり、スタッカー装置３０におけるスタッカー本体１０は、互いに対向する垂直壁部１０Ａおよび垂直壁部１０Ｃそれぞれにガイド壁部３１および当接壁部３２を突出形成している。
【００４１】
ガイド壁部３１は、ラベルプリンター１から発行されてくるラベル用紙６をスタッカー空間１２内に案内するもので、ガイド壁部３１は、スタッカー本体１０に対して傾斜してこれをスタッカー本体１０に取り付けることにより、スタッカー本体１０の上方開口部１１を比較的広範囲に拡大可能としてある。
【００４２】
当接壁部３２は、ラベルプリンター１から発行されてくるラベル用紙６の先端部６Ａに当接してこれをスタッカー空間１２内に落下可能とするもので、当接壁部３２は、スタッカー本体１０に対して傾斜してこれをスタッカー本体１０に取り付けることにより、上記ガイド壁部３１と同様に、スタッカー本体１０の上方開口部１１を比較的広範囲に拡大可能としてある。
【００４３】
なお、図１および図２に示したと同様に、スタッカー装置３０のスタッカー本体１０は、ラベルプリンター１の発行口７から発行されるラベル用紙６に対して所定の回旋角度θだけ傾けた位置にこれを配置している。
【００４４】
こうした構成のスタッカー装置３０においても、ラベルプリンター１の発行口７から発行されるラベル用紙６は、スタッカー本体１０のガイド壁部３１に案内されつつ上方開口部１１からスタッカー空間１２内に進入することになり、スタッカー本体１０の外方に飛び出すことなく、安定してスタッカー空間１２内に落下収容することができるとともに、先に段積みされているラベル用紙６のギャップ１３にラベル用紙６の先端部６Ａが突き当たることなく、台紙８からラベル片９が剥離してしまったり、整列状態を乱されることもない。
【００４５】
また、上方開口部１１からスタッカー空間１２方向に進入していくラベル用紙６は、ガイド壁部３１とは対向する面側の当接壁部３２にもガイドされて、スタッカー本体１０の外方に飛び出すことなく安定してスタッカー空間１２内に落下収容することができる。
【図面の簡単な説明】
【００４６】
【図１】本発明のラベル用紙の積重ね方法を実施するための構成を示す要部平面図である。
【図２】同、要部斜視図である。
【図３】本発明の第１の実施例によるスタッカー装置２０における回旋角度調節機構２１の平面図である。
【図４】同、回旋角度調節機構２１の側面図である。
【図５】本発明の第２の実施例によるスタッカー装置３０の平面図である。
【図６】同、スタッカー本体１０部分の斜視図である。
【図７】従来のラベルプリンター１およびスタッカー装置２の要部平面図である。
【図８】同、要部側面図である。
【符号の説明】
【００４７】
１  ラベルプリンター
２  スタッカー装置（図７、図８）
３  プリンター本体
３Ａ  プリンター本体３の底板（図３）
４  印字部
５  切断部
６  ラベル用紙
６Ａ  ラベル用紙６の先端部（図１、図８）
７  ラベル用紙６の発行口
８  台紙
９  ラベル片
１０  スタッカー本体
１０Ａ  スタッカー本体１０の垂直壁部（図２）
１０Ｂ  スタッカー本体１０のガイド壁部
１０Ｃ  スタッカー本体１０の垂直壁部
１０Ｄ  スタッカー本体１０の当接壁部
１０Ｅ  スタッカー本体１０の底板（図３）
１１  スタッカー本体１０の上方開口部
１２  スタッカー本体１０のスタッカー空間
１３  互いに隣り合うラベル片９の間のギャップ
２０  ラベルプリンター１のスタッカー装置（第１の実施例、図３）
２１  回旋角度調節機構
２２  プリンター配置板
２３  スタッカー回旋板
２４  角度設定板
２５  回旋軸
２６  角度設定片
２７  角度設定凹部
３０  ラベルプリンター１のスタッカー装置（第２の実施例、図５）
３１  ガイド壁部
３２  当接壁部
Ｈ    ラベルプリンター１からのラベル用紙６の発行方向（図１、図５）
Ｓ    スタッカー装置２の配置方向ないし積み重ねられるラベル用紙６の進入積重ね方向（図１、図５）
θ    発行方向Ｈと進入積重ね方向Ｓとがなす回旋角度（図１、図５）
【図１】
0005198900.tif 000002
【図２】
0005198900.tif 000003
【図３】
0005198900.tif 000004
【図４】
0005198900.tif 000005
【図５】
0005198900.tif 000006
【図６】
0005198900.tif 000007
【図７】
0005198900.tif 000008
【図８】
0005198900.tif 000009